(57)【要約】【課題】メータの指示値を音声で入力でき且つメータの指示値を示す信号を、メータの指示値を記憶する情報処理端末に無線で送信できる検針装置及び検針方法を提供する。【解決手段】メータの指示値を音声で入力する音声入力装置１及び音声入力装置１と無線通信を行う携帯可能な情報処理端末２を備え、音声入力装置１は、音声を入力し、音声を音声信号に変換する音声入力部１２と、音声入力部１２で変換された音声信号を無線で送信する無線通信部１１とを備え、情報処理端末２は、音声入力装置１から無線で送信される音声信号を受信する無線通信部２１と、無線通信部２１で受信した音声信号を認識して、音声信号をメータの指示値を示す指示値情報に変換する音声認識手段２５と、音声認識手段２５で変換された指示値情報を記憶する記憶部２３とを備える。【選択図】図１
2007024956.tif 000002
【特許請求の範囲】
【請求項１】
メータの指示値を音声で入力する音声入力装置及び前記音声入力装置と無線通信を行う携帯可能な情報処理端末を備え、
前記音声入力装置は、
前記音声を入力し、前記音声を音声信号に変換する音声入力部と、
前記音声入力部で変換された前記音声信号を無線で送信する無線通信部と、
を備え、
前記情報処理端末は、
前記音声入力装置から無線で送信される前記音声信号を受信する無線通信部と、
前記無線通信部で受信した前記音声信号を認識して、前記音声信号を前記メータの指示値を示す指示値情報に変換する音声認識手段と、
前記音声認識手段で変換された前記指示値情報を記憶する記憶部と、
を備えることを特徴とする検針装置。
【請求項２】
前記情報処理端末は、
前記記憶部に記憶された前記指示値情報を表現する合成音声を生成して前記合成音声を合成音声信号に変換する音声合成部を備え、前記音声合成部で変換された前記合成音声信号を前記無線通信部により無線で送信し、
前記音声入力装置は、
前記情報処理端末から無線で送信される前記合成音声信号を音声に変換して出力する音声出力部を備えることを特徴とする請求項１記載の検針装置。
【請求項３】
前記記憶部は、前記メータの識別情報を記憶し、
前記音声合成部は、前記記憶部に記憶された前記識別情報を表現する合成音声を生成して前記合成音声を合成音声信号に変換することを特徴とする請求項１または請求項２記載の検針装置。
【請求項４】
メータの指示値を音声で入力する音声入力装置及び前記音声入力装置と無線通信を行う携帯可能な情報処理端末を備え、
前記音声入力装置は、
前記音声を入力し、前記音声を音声信号に変換する音声入力部と、
前記音声入力部で変換された前記音声信号を認識して、前記音声信号を前記メータの指示値を示す指示値情報に変換する音声認識手段と、
前記音声認識手段で変換された前記指示値情報を無線で送信する無線通信部と、
を備え、
前記情報処理端末は、
前記音声入力装置から無線で送信される前記指示値情報を受信する無線通信部と、
前記無線通信部で受信した前記指示値情報を記憶する記憶部と、
を備えることを特徴とする検針装置。
【請求項５】
前記情報処理端末は、
前記記憶部に記憶された前記指示値情報を前記無線通信部により無線で送信し、
前記音声入力装置は、
前記情報処理端末から無線で送信される前記指示値情報を表現する合成音声を生成し、前記合成音声を合成音声信号に変換する音声合成部を備え、前記合成音声信号を音声に変換して出力する音声出力部を備えることを特徴とする請求項４記載の検針装置。
【請求項６】
前記記憶部は、前記メータの識別情報を記憶し、
前記情報処理端末の無線通信部は、前記記憶部に記憶された前記識別情報を無線で送信し、
前記音声合成部は、前記情報処理端末から無線で送信される前記識別情報を表現する合成音声を生成して前記合成音声を合成音声信号に変換することを特徴とする請求項４または請求項５記載の検針装置。
【請求項７】
前記音声入力装置は、ヘッドセットであることを特徴とする請求項１乃至請求項６のいずれか１項記載の検針装置。
【請求項８】
メータの指示値を音声で入力して前記音声を音声信号に変換する音声入力ステップと、
前記音声信号を無線で送信する無線送信ステップと、
前記音声信号を無線で受信する無線受信ステップと、
無線で受信した前記音声信号を認識して、前記音声信号を前記メータの指示値を示す指示値情報に変換する音声認識ステップと、
前記指示値情報を記憶する記憶ステップと、
を有することを特徴とする検針方法。
【請求項９】
メータの指示値を音声で入力して前記音声を音声信号に変換する音声入力ステップと、
前記音声信号を認識して、前記音声信号を前記メータの指示値を示す指示値情報に変換する音声認識ステップと、
前記指示値情報を無線で送信する無線送信ステップと、
無線で受信した前記指示値情報を記憶する記憶ステップと、
を有することを特徴とする検針方法。
【発明の詳細な説明】
【技術分野】
【０００１】
本発明は、水道、電気、ガス等のメータの指示値を音声で入力する検針装置及び検針方法に関し、特にメータの指示値を音声で入力する音声入力装置とメータの指示値を記憶する情報処理端末との間を無線で接続する検針装置及び検針方法に関する。
【背景技術】
【０００２】
一般に、水道、電気、ガス等の使用量を計量するメータの検針は、ハンディターミナルを携帯した検針員が各需要家を巡回し、メータの指示値をハンディターミナルのキーボードを使用して入力し、入力された情報を表示部に表示させて確認を行っている。
【０００３】
また、メータの指示値を端末装置に音声で入力し、入力された情報を音声で確認する検針システムが開示されている（例えば、特許文献１）。
【特許文献１】特開平７−１３４７９３号公報
【発明の開示】
【発明が解決しようとする課題】
【０００４】
しかしながら、特許文献１に記載の従来の検針システムでは、音声入力を行うマイクロホンは端末装置に有線で接続されているので、端末装置をポケットやカバンに収納できない。このため、雨や雪から保護するための構造が必要になり、端末装置が大型化して装置重量が重くなってしまう。
【０００５】
また、メータの検針は、メータに設けられた蓋等を開けてから検針作業を行なう場合がある。例えば、水道メータは、地中に埋設されたメータます内に設置されており、メータますには蓋が設けられている。さらに水道メータにも表示部のガラスを保護するための蓋が設けられている。水道メータの検針時は、メータますの蓋及び水道メータの蓋を開ける作業が必要である。検針員は、フックのついた検針棒を持参して、この検針棒を使用して蓋を開ける。
【０００６】
しかし、従来の検針システムで使用する端末装置は、マイクロホンと有線で接続されており、ポケットやカバンに収納することができないため、上記のような作業をする際に邪魔になり、作業性が悪い。
【０００７】
本発明の課題は、メータの指示値を音声で入力でき且つメータの指示値を示す信号を、メータの指示値を記憶する情報処理端末に無線で送信できる検針装置及び検針方法を提供することにある。
【課題を解決するための手段】
【０００８】
本発明は、前記課題を解決するために以下の手段を採用した。請求項１の発明は、メータの指示値を音声で入力する音声入力装置及び前記音声入力装置と無線通信を行う携帯可能な情報処理端末を備え、前記音声入力装置は、前記音声を入力し、前記音声を音声信号に変換する音声入力部と、前記音声入力部で変換された前記音声信号を無線で送信する無線通信部とを備え、前記情報処理端末は、前記音声入力装置から無線で送信される前記音声信号を受信する無線通信部と、前記無線通信部で受信した前記音声信号を認識して、前記音声信号を前記メータの指示値を示す指示値情報に変換する音声認識手段と、前記音声認識手段で変換された前記指示値情報を記憶する記憶部とを備えることを特徴とする。
【発明の効果】
【０００９】
請求項１の発明によれば、音声入力装置はメータの指示値を音声で入力して、音声信号を無線で送信し、情報処理端末は音声入力装置から無線で送信される音声信号を認識して、音声信号に基づいて得られたメータの指示値を記憶するので、検針時に情報処理端末を直接操作する必要がなく、また、音声入力装置と情報処理端末との間は無線で接続されているため、情報処理端末をポケットやカバンに収納することができる。このため、雨や雪等から容易に保護でき、荒天時の作業性が向上するとともに情報処理端末の破損を防止することができる。
【発明を実施するための最良の形態】
【００１０】
以下、本発明の実施例に係る検針装置及び検針方法を図面を参照しながら詳細に説明する。なお、以下では、本発明の音声入力装置としてヘッドセットを使用し、本発明の携帯可能な情報処理端末として携帯情報端末（以下、ＰＤＡ：Personal Digital Assistance）を使用した場合を説明する。
【実施例１】
【００１１】
図１は本発明の実施例１に係る検針装置を示すブロック図であり、図２は本発明の実施例１に係る検針装置の一例を示す外観斜視図である。図１に示すように、本発明の実施例１に係る検針装置は、ヘッドセット１とＰＤＡ２とを備えている。
【００１２】
まず、ヘッドセット１について説明する。ヘッドセット１は、本発明の音声入力装置に対応し、メータの指示値を音声で入力する装置である。ヘッドセットは、図１に示すように、無線通信部１１、マイクロホン１２、スピーカ１３、メモリ１４、ＣＰＵ１５を備えて構成されている。
【００１３】
また、ヘッドセット１は、図２に示すように、操作者の頭部に装着可能に構成され、ヘッドアーム１６、ヘッドアーム１６の両端にそれぞれ設けられたイヤーパッド１７ａ及び１７ｂ、イヤーパッド１７ａ及び１７ｂのそれぞれに内蔵されたスピーカ１３、一端がイヤーパッド１７ｂに取り付けられたマイクロホンアーム１８、マイクロホンアーム１８の他端に取り付けられたマイクロホン１２を備えている。また、ヘッドセット１の電源となる電池（図示しない）はイヤーパッド１７ｂに内蔵され、無線通信部１１、メモリ１４及びＣＰＵ１５等の電子回路（図示しない）はイヤーパッド１７ａに内蔵されている。
【００１４】
マイクロホン１２は音声を入力して、入力した音声を音声信号に変換して出力する。スピーカ１３は、ＰＤＡ２から無線で送信された音声信号を音声に変換して出力する。無線通信部１１は、ＰＤＡ２との間で音声信号を無線で送受信する。無線通信部１１は、例えば、Ｂｌｕｅｔｏｏｔｈ（登録商標）規格に従って無線通信を行う。ＣＰＵ１５は、ヘッドセット１の全体を制御する。メモリ１４はマイクロホン１２から出力される音声信号及び無線通信部１１が受信した音声信号を一時的に記憶する。
【００１５】
次に、ＰＤＡ２について説明する。ＰＤＡ２は、本発明の携帯可能な情報処理端末に対応し、メータの指示値を示す指示値情報を記憶する装置である。ＰＤＡ２は、図１に示すように、無線通信部２１、表示／タッチ入力部２２、メモリ２３、外部機器接続部２４、ＣＰＵ２５を備えて構成されている。
【００１６】
また、ＰＤＡ２は、図２に示すように、薄い箱型の筐体２６を有しており、ポケットやカバン等に容易に収納可能な大きさに構成されている。筐体２６には、無線通信部２１、メモリ２３、ＣＰＵ２５等の電子回路（図示しない）が内蔵されており、表示／タッチ入力部２２が組み込まれている。表示／タッチ入力部２２の周辺には少数のボタン２７が設けられている。また、筐体２６の下部には、外部機器との間で情報の送受信を行うための外部機器接続部２４が設けられている。
【００１７】
また、ＰＤＡ２には、音声信号を音声認識処理する音声認識プログラム及びＰＤＡ２のメモリ２３に記憶された情報（後述する）を表現する合成音声を生成し、合成音声信号を出力する音声合成処理を行うための音声合成プログラムがインストールされている。
【００１８】
無線通信部２１は、ヘッドセット１の無線通信部１１との間で音声信号を無線で送受信する。ＣＰＵ２５は、ＰＤＡ２の全体を制御する。また、ＣＰＵ２５は、本発明の音声認識手段及び音声合成手段であり、ＰＤＡ２にインストールされた音声認識プログラム及び音声合成プログラムを実行する。メモリ２３は、検針で得られたメータの指示値を記憶する。表示／タッチ入力部２２は、メモリ２３に記憶された情報を表示するとともにタッチ入力により、ＰＤＡ２の各操作を行うことができる。
【００１９】
検針員は、検針前にホスト計算機から検針に必要な情報（検針対象のメータの識別情報等）をＰＤＡ２にダウンロードして、ＰＤＡ２のメモリ２３に記憶する。また、検針員は、検針後に検針により収集した情報をホスト計算機にアップロードする。図３はＰＤＡ２をホスト計算機に接続した状態を示す図である。図３に示すように、ＰＤＡ２は、Ｉ／Ｆ装置３１を介してクライアント端末３２に接続され、クライアント端末３２は通信ネットワーク３３を介してホスト計算機３４に接続される。検針前にホスト計算機３４からＰＤＡ２にダウンロードされる主な情報は、需要家番号、需要家名、住所、計器番号、検針順序、前回指示数、前回使用量、前回使用金額である。検針後にＰＤＡ２からホスト計算機３４にアップロードされる主な情報は、需要家番号、今回指示数、今回使用量である。
【００２０】
次に、本発明の実施例１に係る検針装置の動作及び実施例１に係る検針方法を図４を用いて詳細に説明する。まず、検針員は、ＰＤＡ２のメモリ２３に記憶された検針順序通りに、需要家を巡回する。検針員が検針対象地域に到着し、ＰＤＡ２の電源を入れると、ＰＤＡ２のＣＰＵ２５は、メモリ２３に記憶された検針対象のメータの識別情報（例えば、需要家名と計器番号）を表現する合成音声を生成し、この合成音声を示す音声信号を、無線通信部２１を介してヘッドセット１に無線で送信する。
【００２１】
ヘッドセット１のＣＰＵ１５は、ヘッドセット１の無線通信部１１で受信した音声信号をスピーカ１３に出力して、スピーカ１３からメータの識別情報を音声で出力する。例えば、「次の需要家は・・・です」のような音声ガイダンスを出力し、検針員に検針対象のメータの確認を促す（ステップＳ１）。
【００２２】
検針員は、検針対象のメータを確認して、正しければ、ヘッドセット１のマイクロホン１２に検針対象のメータを確認した旨の音声を入力して応答する。例えば、検針員は「了解」とマイクロホン１２に音声で入力する。マイクロホン１２に入力された音声は、音声信号に変換され、無線通信部１１を介してＰＤＡ２に無線で送信される（ステップＳ２）。
【００２３】
ＰＤＡ２のＣＰＵ２５は、無線通信部２１で受信した音声信号を音声認識処理し、検針対象のメータを検針員が確認した旨の情報を得た場合、メータの指示値の入力を促す合成音声を生成し、この合成音声を示す音声信号を、無線通信部２１を介してヘッドセット１に無線で送信する。
【００２４】
ヘッドセット１は、無線通信部１１で受信した音声信号をスピーカ１３に出力して、スピーカ１３からメータの指示値の入力を促す音声を出力する。例えば、「指示値は？」と出力する（ステップＳ３）。
【００２５】
検針員は、音声による指示に従い、メータの指示値を音声で入力する。例えば、検針員は「１２３４．５」とマイクロホン１２に音声で入力する。マイクロホン１２に入力された音声は、音声信号に変換され、無線通信部１１を介してＰＤＡ２に無線で送信される（ステップＳ４）。
【００２６】
ＰＤＡ２のＣＰＵ２５は、無線通信部２１で受信した音声信号を音声認識処理し、該音声信号をメータの指示値を示す指示値情報に変換して、この指示値情報をメモリ２３に記憶する。また、このときＰＤＡ２のＣＰＵ２５は、メモリ２３に記憶された指示値情報を表現する合成音声を生成し、この合成音声を示す音声信号を、無線通信部２１を介してヘッドセット１に無線で送信する。
【００２７】
ヘッドセット１のＣＰＵ１５は、ヘッドセット１の無線通信部１１で受信した音声信号をスピーカ１３に出力して、直前に入力されたメータの指示値をスピーカ１３から音声で出力することでメータの指示値の確認を促す（ステップＳ５）。
【００２８】
検針員は、この音声を確認して、正しく入力されていれば、メータの指示値を確認した旨を示す音声を入力する。例えば、検針票印字の指示を音声で入力する。検針員は「検針票印字」とマイクロホン１２に音声で入力する。マイクロホン１２に入力された音声は、音声信号に変換され、無線通信部１１を介してＰＤＡ２に無線で送信される（ステップＳ６）。
【００２９】
ＰＤＡ２のＣＰＵ２５は、無線通信部２１で受信した音声信号を音声認識処理し、メータの指示値を確認した旨を示す情報（検針票印字の指示を示す情報）を得た場合、一軒の需要家のメータ指示値を入力する動作を終了し、次の需要家のメータ指示値を入力する動作を開始する（ステップＳ１に戻る）。
【００３０】
検針票は、検針終了後にＰＤＡ２からの操作で、図示しないプリンタにより印字されるものとしてもよいし、ヘッドセット１から無線で送信される信号により印字されるものとしてもよい。また、検針票を印字するプリンタとして汎用のＢｌｕｅｔｏｏｔｈ対応プリンタを用いることもできる。
【００３１】
このように、実施例１に係る検針装置及び検針方法によれば、ヘッドセット１はメータの指示値を音声で入力して、音声信号を無線で送信し、ＰＤＡ２はヘッドセット１から無線で送信される音声信号を認識して、音声信号に基づいて得られたメータの指示値を記憶するので、検針時にＰＤＡ２を直接操作する必要がなく、また、ヘッドセット１とＰＤＡ２との間は無線で接続されているため、ＰＤＡ２をポケットやカバンに収納することができる。このため、雨や雪等から容易に保護でき、荒天時の作業性が向上するとともにＰＤＡ２の破損を防止することができる。
【００３２】
また、ＰＤＡ２をポケットやカバン等に収納することができるので、検針作業をハンズフリーで行うことができ、例えば、水道メータ検針のように、検針時にメータの蓋を開ける作業が必要な場合にも、ＰＤＡ２が邪魔にならず、作業性が向上する。
【００３３】
また、ＰＤＡ２は、メモリ２３に記憶された指示値情報を表現する合成音声を生成して、この合成音声を合成音声信号に変換した上で無線通信部２１を介して無線送信し、ヘッドセット１は、ＰＤＡ２から無線送信される合成音声信号を音声に変換して出力するので、ヘッドセット１から直前に入力されたメータ指示値を音声により確認することができ、入力ミスを容易に防ぐことができる。
【００３４】
さらに、ＰＤＡ２のメモリ２３は、検針対象のメータの識別情報を予め記憶し、ＰＤＡ２は、メモリ２３に記憶されたメータの識別情報を表現する合成音声を生成して、この合成音声を合成音声信号に変換した上で無線通信部２１を介して無線送信し、ヘッドセット１は、ＰＤＡ２から無線送信される合成音声信号を音声に変換して出力するので、検針前に検針対象のメータの確認を容易に行うことができる。
【実施例２】
【００３５】
本発明の実施例２に係る検針装置は、音声認識処理及び音声合成処理をヘッドセット１内部で行うようにしたものである。その他の構成は実施例１に係る検針装置の構成と同様であるため、重複する説明は省略する。即ち、実施例２において、ヘッドセット１のＣＰＵ１５は音声認識処理機能及び音声合成処理機能を有し、本発明の音声認識手段及び音声合成手段である。
【００３６】
次に、実施例２に係る検針装置の動作及び実施例２に係る検針方法を詳細に説明する。まず、検針員は、ＰＤＡ２のメモリ２３に記憶された検針順序通りに、需要家を巡回する。検針員が検針対象地域に到着し、ＰＤＡ２の電源を入れると、ＰＤＡ２のＣＰＵ２５は、メモリ２３に記憶された検針対象のメータの識別情報（例えば、需要家名と計器番号）を無線通信部２１を介してヘッドセット１に無線で送信する。
【００３７】
ヘッドセット１のＣＰＵ１５は、ヘッドセット１の無線通信部１１で受信したメータの識別情報を表現する合成音声を生成し、この合成音声を示す音声信号をスピーカ１３に出力して、スピーカ１３からメータの識別情報を音声で出力する。例えば、「次の需要家は・・・です」のような音声ガイダンスを出力し、検針員に検針対象のメータの確認を促す。
【００３８】
検針員は、検針対象のメータを確認して、正しければ、ヘッドセット１のマイクロホン１２に検針対象のメータを確認した旨の音声を入力して応答する。例えば、検針員は「了解」とマイクロホン１２に音声で入力する。マイクロホン１２に入力された音声は、音声信号に変換され、ＣＰＵ１５により音声認識処理されて認識結果を無線通信部１１を介してＰＤＡ２に無線で送信する。
【００３９】
ＰＤＡ２のＣＰＵ２５は、無線通信部２１で受信した認識結果に基づいて、検針員が検針対象のメータを確認した旨の情報を得た場合、メータ指示値の入力を促す信号を無線通信部２１を介してヘッドセット１に無線で送信する。
【００４０】
ヘッドセット１のＣＰＵ１５は、無線通信部１１で受信した信号を表現する合成音声を生成し、この合成音声を示す音声信号をスピーカ１３に出力して、スピーカ１３からメータ指示値の入力を促す音声を出力する。例えば、「指示値は？」と出力する。
【００４１】
検針員は、音声による指示に従い、メータの指示値を音声で入力する。例えば、検針員は「１２３４．５」とマイクロホン１２に音声で入力する。マイクロホン１２に入力された音声は、音声信号に変換され、ＣＰＵ１５により音声認識処理されて、得られたメータの指示値を示す指示値情報を無線通信部１１を介してＰＤＡ２に無線で送信する。
【００４２】
ＰＤＡ２のＣＰＵ２５は、無線通信部２１で受信した指示値情報をメモリ２３に記憶する。また、このときＰＤＡ２のＣＰＵ２５は、メモリ２３に記憶された指示値情報を、無線通信部２１を介してヘッドセット１に無線で送信する。
【００４３】
ヘッドセット１のＣＰＵ１５は、ヘッドセット１の無線通信部１１で受信した音声信号を音声認識処理して、音声認識処理によって得られた指示値情報を表現する合成音声を生成し、この合成音声を示す音声信号を、スピーカ１３に出力して、直前に入力されたメータの指示値をスピーカ１３から音声で出力することでメータの指示値の確認を促す。
【００４４】
検針員は、この音声を確認して、正しく入力されていれば、メータの指示値を確認した旨を示す音声を入力する。例えば、検針票印字の指示を音声で入力する。検針員は「検針票印字」とマイクロホン１２に音声で入力する。マイクロホン１２に入力された音声は、音声信号に変換され、ＣＰＵ１５により音声認識処理されて、認識結果を無線通信部１１を介してＰＤＡ２に無線で送信する。
【００４５】
ＰＤＡ２のＣＰＵ２５は、無線通信部２１で受信した認識結果からメータの指示値を確認した旨を示す情報（検針票印字の指示を示す情報）を得た場合、一軒の需要家のメータ指示値を入力する動作を終了し、次の需要家のメータ指示値を入力する動作を開始する。
【００４６】
検針票は、検針終了後にＰＤＡ２からの操作で、図示しないプリンタにより印字されるものとしてもよいし、ヘッドセット１から無線で送信される送信される信号により印字されるものとしてもよい。また、検針票を印字するプリンタとして汎用のＢｌｕｅｔｏｏｔｈ対応プリンタを用いることもできる。
【００４７】
このように、実施例２に係る検針装置及び検針方法によれば、ヘッドセット１はメータの指示値を音声で入力して、音声信号をメータの指示値情報に変換した上で無線送信し、ＰＤＡ２はヘッドセット１から無線送信されるメータの指示値情報を記憶するので、実施例１の効果と同様の効果を得ることができる
また、ＰＤＡ２は、メモリ２３に記憶された指示値情報を無線通信部２１を介して無線送信し、ヘッドセット１は、指示値情報を表現する合成音声を生成して、スピーカ１３から出力するので、ヘッドセット１のマイクロホン１２により直前に入力したメータ指示値を音声により確認することができ、入力ミスを容易に防ぐことができる。
【００４８】
さらに、ＰＤＡ２のメモリ２３は、検針対象のメータの識別情報を予め記憶し、ＰＤＡ２は、メモリ２３に記憶されたメータの識別情報を無線通信部２１を介して無線送信し、ヘッドセット１のＣＰＵ１５は、メータの識別情報を表現する合成音声を生成して、スピーカ１３から出力するので、検針前に検針対象のメータの確認を容易に行うことができる。
【産業上の利用可能性】
【００４９】
本発明は、水道、電気、ガス等のメータ検針に用いる検針装置及び検針方法として利用可能である。
【図面の簡単な説明】
【００５０】
【図１】本発明の実施例１に係る検針装置の構成を示すブロック図である。
【図２】本発明の実施例１に係る検針装置の一例を示す外観斜視図である。
【図３】本発明の実施例１に係る検針装置をホスト計算機に接続した状態を示すブロック図である。
【図４】本発明の実施例１に係る検針方法を示すブロック図である。
【符号の説明】
【００５１】
１…ヘッドセット
２…ＰＤＡ
１１…無線通信部
１２…マイクロホン
１３…スピーカ
１４…メモリ
１５…ＣＰＵ
１６…ヘッドアーム
１７ａ、１７ｂ…イヤーパッド
１８…マイクロホンアーム
２１…無線通信部
２２…表示／タッチ入力部
２３…メモリ
２４…外部機器接続部
２５…ＣＰＵ
２６…筐体
２７…ボタン
３１…Ｉ／Ｆ装置
３２…クライアント端末
３３…通信ネットワーク
３４…ホスト計算機
【図１】
2007024956.tif 000003
【図２】
2007024956.tif 000004
【図３】
2007024956.tif 000005
【図４】
2007024956.tif 000006